(57)【特許請求の範囲】
【請求項１】
湯を溜める浴槽本体と、前記浴槽本体の上端縁よりも上方に設けられた吐水部とを備える浴槽装置において、
前記浴槽本体に着座して湯に浸かる入浴者が背をもたせ掛けるバックレストが前記浴槽本体の内側面に設けられており、
前記バックレストは、前記浴槽本体の前記上端縁側から中央側に向けて下方に傾斜する表面を有し、前記浴槽本体の前記上端縁より上方に延び、上部における頂点が前記上端縁よりも前記中央側に設けられており、
前記吐水部の少なくとも一部が、前記頂点と、前記上端縁の前記中央側の端との間に設けられていることを特徴とする浴槽装置。
【請求項２】
前記浴槽本体に溜めることができる湯の最大深さが４００ｍｍ以下であることを特徴とする請求項１に記載の浴槽装置。
【発明の詳細な説明】
【技術分野】
【０００１】
本発明は、浴槽装置に関する。
【背景技術】
【０００２】
浴槽装置は、湯を溜める浴槽本体を有し、該浴槽本体に手すり、アームレスト、および背中をもたせ掛けるバックレスト等を適宜設けて機能性が高められている。また、浴槽本体の側方に洗い場を設けた浴室ユニットは広く住宅用設備として普及しており、ユーザは洗い場で身体を洗い、浴槽本体に溜めた湯に浸かって入浴する。
【０００３】
例えば、特許文献１には、洗い場から浴槽本体に亘って水平に延びる手すりを壁パネルに設けた浴槽装置が開示されている。該手すりは、浴槽本体側の部分にシャワー散水用の吐水部を有し、浴槽本体に溜めた湯に浸かっている入浴者の肩に湯を浴びせることができるようになっている。また特許文献２には、浴槽本体に背中をもたせ掛けるバックレストを設けた浴槽装置が開示されている。浴槽装置は、バックレストの裏側における浴槽本体の内側面にオーバーフロー栓を設けることによって、該オーバーフロー栓が入浴時に身体に当たることがないようにしている。
【先行技術文献】
【特許文献】
【０００４】
【特許文献１】特開２００３−２７８１９７号公報
【特許文献２】特開２００１−１０４１９１号公報
【発明の概要】
【発明が解決しようとする課題】
【０００５】
特許文献１に記載の浴槽装置では、浴槽本体の内容積を大きくするために上端部開口を壁パネル付近まで広げた場合、浴槽本体の内側面に背中を当てた姿勢で湯に浸かる入浴者の頭部に、吐水部が当たってしまうという問題点があった。
【０００６】
また、特許文献２に記載の浴槽装置にはバックレストが設けられているが、バックレストの裏側にオーバーフロー栓を設けて入浴者の利便性を向上しているものの、肩へ水を浴びせる吐水部については考慮されていない。
【０００７】
本発明は、斯かる事情に鑑みてなされたものであり、その目的とするところは、浴槽本体に着座している入浴者が、浴槽本体の上端縁の上方に設けた吐水部に接触し難く、利便性の良い浴槽装置を提供することにある。
【課題を解決するための手段】
【０００８】
本発明に係る浴槽装置は、湯を溜める浴槽本体と、前記浴槽本体の上端縁の上方に設けられた吐水部とを備える浴槽装置において、前記浴槽本体に着座して湯に浸かる入浴者が背をもたせ掛けるバックレストが前記浴槽本体の内側面に設けられており、前記バックレストは、前記浴槽本体の上端縁側から中央側に向けて下方に傾斜する表面を有しており、前記バックレストの上部における前記表面の接線、および前記浴槽本体の上下方向の中途部における前記表面の接線の間に前記吐水部が設けられていることを特徴とする。
【０００９】
本発明にあっては、浴槽装置は、湯を溜める浴槽本体と、浴槽本体の上端縁の上方に設けられた吐水部とを備える。浴槽本体に着座して湯に浸かる入浴者が背をもたせ掛けるバックレストが浴槽本体の内側面に設けられている。バックレストは、浴槽本体の上端縁側から中央側に向けて下方に傾斜する表面を有する。バックレストの上部における表面の接線、および浴槽本体の上下方向の中途部における表面の接線の間に吐水部が設けられている。これにより、浴槽装置は、入浴者が吐水部に接触し難く、利便性が良い。
【発明の効果】
【００１０】
本発明によれば、浴槽装置は、湯を溜める浴槽本体と、浴槽本体の上端縁の上方に設けられた吐水部とを備える。浴槽本体に着座して湯に浸かる入浴者が背をもたせ掛けるバックレストが浴槽本体の内側面に設けられている。バックレストは、浴槽本体の上端縁側から中央側に向けて下方に傾斜する表面を有する。バックレストの上部における表面の接線、および浴槽本体の上下方向の中途部における表面の接線の間に吐水部が設けられているので、入浴者が吐水部に接触し難く、利便性が良い。
【図面の簡単な説明】
【００１１】
【図１】本発明の実施形態に係る浴槽装置を有する浴室ユニットの外観を示す斜視図である。
【図２】本発明の実施形態に係る浴槽装置を有する浴室ユニットの縦断面図である。
【図３】図２のＡ−Ａ線による断面図である。
【図４】吐水装置の正面図である。
【図５】図２のＢ−Ｂ線による浴槽装置の断面図である。
【図６】着座乳頭高および着座ウエスト基点高の試算値を示す図表である。
【図７】半身浴における湯の深さに関する評価内容を示す図表である。
【図８】図２のＢ−Ｂ線によるバックレスト２０の部分を拡大した断面図である。
【図９】半身浴による浴槽装置の使用状態を説明するための模式図である。
【図１０】変形例に係る浴槽装置における図２のＢ−Ｂ線による断面に相当する部分の断面図である。
【発明を実施するための形態】
【００１２】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は本発明の実施形態に係る浴槽装置１を有する浴室ユニット１００の外観を示す斜視図、図２は本発明の実施形態に係る浴槽装置１を有する浴室ユニット１００の縦断面図、図３は図２のＡ−Ａ線による断面図である。尚、図１においては浴室ユニット１００の手前側の壁パネルを省略した。浴室ユニット１００は、浴槽装置１、引き戸４０、浴槽前床５０、および壁パネル６０等を有する。浴槽装置１は、湯を溜めることができる浴槽本体１１および吐水装置３を有する。浴槽装置１と浴槽前床５０とは、引き戸４０によって区分けされており、周囲が壁パネル６０によって覆われ、上方を天井パネル６１によって覆われている。また、浴室ユニット１００への入り口６２には、引き戸６３が設けられ、入り口６２を開閉することができる。
【００１４】
ユーザは、浴槽装置１において、水を用いて、身体を洗い、シャワーを浴び、浴槽本体１１に湯を溜めて入浴する。これに対し、浴槽前床５０は、ユーザが脱衣や着衣等を行ったり、衣類を乾かしたりするための空間を提供する。浴槽前床５０には洗面台などを配置しても良いが、浴槽前床５０を水の受け皿として機能させるものではない。浴槽前床５０の部分における壁パネル６０ｂには、収納棚６４などを配置し、衣類やタオルなどを収納する。尚、浴槽前床５０は、水の受け皿となるものではないため、排水口を設ける必要はないが、床面の洗い流しのために排水口を設けてもよい。
【００１５】
浴槽装置１は、湯を溜める浴槽本体１１、および入浴中のユーザが背中をもたせかけるためのバックレスト２０を有する。浴槽本体１１は、底部１１ｂに排水栓１２、および内側面にオーバーフロー栓１３を有する。排水栓１２を閉状態にして浴槽本体１１に湯を溜めることができ、排水栓１２を開状態にして浴槽本体１１から湯を抜く。オーバーフロー栓１３は、常時開状態にすることで、オーバーフロー栓１３の排水ラインを超える湯が排水され、浴槽本体１１から湯が溢れ出ないようにしてある。尚、オーバーフロー栓１３は、常時開状態のみでなく、閉状態とすることも可能である。
【００１６】
浴槽本体１１は、上端開口が平面視矩形状であり、長手方向の両端におけるフランジ部１１ａの幅が狭く、壁パネル６０ａに近い位置まで開口し、上端開口からやや内側に縮幅した底部１１ｂの端部もフランジ部１１ａの幅が狭い分、壁パネル６０ａに近い位置にある。上端開口および底部１１ｂが壁面に近い位置まで設けられていることによって、ユーザは、浴槽本体１１内に立った姿勢で、壁パネル６０ａに設けた吐水装置３の後述するシャワーヘッド３３を使用し易くなる。尚、浴槽本体１１の上端開口の形状は、平面視矩形状に限らず、楕円形状や、円弧状等に湾曲した辺を有する形状などであってもよい。
【００１７】
図４は吐水装置３の正面図である。吐水装置３は、吐水横バー３１、縦ガイドバー３２、シャワーヘッド３３を有する。吐水横バー３１は、水平方向を軸方向とする棒状であり、浴槽本体１１の上端縁であるフランジ部１１ａの上方の壁パネル６０ａに取付けられている。吐水横バー３１は、軸方向の所定長さに亘って、細かな吐水孔を点在させた吐水部３１ａを有する。吐水部３１ａの軸方向の長さは、例えばユーザの肩幅程度とする。吐水部３１ａは、バックレスト２０に背をもたせ掛け、浴槽本体１１の底部１１ｂに着座して入浴するユーザの肩辺りに、両肩に当たるように湯を浴びせる。吐水横バー３１は軸まわりに回転可能であり、回転させることで吐水部３１ａの角度を上下方向に変えることができる。
【００１８】
縦ガイドバー３２は、鉛直方向を軸方向とする棒状であり、吐水横バー３１の浴槽前床５０側の端部から上方に延びる。縦ガイドバー３２は、軸方向に摺動可能なスライド部材３２ａを有する。スライド部材３２ａは、水平方向を軸方向とする棒状であり、一端部が縦ガイドバー３２に摺動可能に取り付けられており、任意の高さ位置で保持することができる。スライド部材３２ａの他端部には、シャワーヘッド３３を掛けるフック３２ｂが設けられている。シャワーヘッド３３は、フック３２ｂに着脱可能である。
【００１９】
吐水装置３は、吐水横バー３１の一端部に設けた切替水量調節つまみ３４ａによって、吐水横バー３１またはシャワーヘッド３３のいずれか一方からの吐水を切り替え、水量を調節することができる。また吐水装置３は、吐水横バー３１の他端部に設けた温度調節つまみ３４ｂによって、吐出する水の温度を調節することができる。尚、温度調節つまみ３４ｂは、吐水横バー３１の他端部に設けるほか、浴槽本体１１のフランジ部１１ａの隅部分に設けた温度調節つまみ３４ｃ（図２、図３参照）であってもよい。
【００２０】
次に浴槽装置１における浴槽本体１１の深さに関して説明する。図５は図２のＢ−Ｂ線による浴槽装置１の断面図である。図５には浴槽本体１１の底部１１ｂに着座したユーザも表している。浴槽本体１１の底部１１ｂは、浴槽前床５０の床面より低い位置にすることで、同じ浴槽本体の深さであっても、浴槽前床５０側から浴槽本体１１へのまたぎ高さが低くなり、移動が楽になる。例えば、底部１１ｂは、浴槽前床５０の床面よりも４０ｍｍ程度低い位置に設ける。
【００２１】
浴槽本体１１は、湯を浅く溜めることに適した深さとしている。浴槽本体１１は、ユーザが胸から肩あたりまで湯に浸かって身体を十分に温めることができるよう深さ５００ｍｍ程度まで湯を溜めることができるものが一般的である。これに対し、本発明に係る浴槽本体１１は、着座位置において溜めることができる湯の最大深さを３００ｍｍ以上、４００ｍｍ以下としたものである。図５に示すように、着座位置は、浴槽本体１１におけるバックレスト２０側の底部１１ｂとなるが、浴槽本体１１の長手方向の両端部のいずれの側の底部であってもよい。また、浴槽本体１１が底部１１ｂより一段高い着座段部を有する場合には、該着座段部の上面が着座位置となる。
【００２２】
上述のように、浴槽本体１１に設けたオーバーフロー栓１３によって、浴槽本体１１に溜めることができる湯の最大深さが決まる。例えば排水ラインが４００ｍｍとなる位置にオーバーフロー栓１３を設けるとよい。オーバーフロー栓１３のフランジ部１１ａまでの高低差を例えば８０ｍｍとすると、浴槽本体１１のフランジ部１１ａから底部１１ｂまでの深さは４８０ｍｍとなる。またオーバーフロー栓１３を設けず、浴槽本体１１から湯が溢れ出ることを許容する場合には、浴槽本体１１のフランジ部１１ａから底部１１ｂまでの深さは例えば４００ｍｍとなる。
【００２３】
浴槽本体１１は、着座位置において溜めることができる湯の最大深さを３００ｍｍ以上、４００ｍｍ以下とすることによって、半身浴に適したものとなる。半身浴は、心臓の位置まで湯を溜めずに入浴することで心臓への負担を減らして身体を温められることが大きな利点となっている。
【００２４】
人体の寸法については、書籍「日本人の人体寸法データブック２００４―２００６」、一般社団法人人間工学研究センターを参照する。同書籍のＰ．１２２記載によれば立位時の床面から乳頭点までの鉛直距離である乳頭高の平均値は、男性２０−２９歳で１２３１．９ｍｍである。また、同書籍のＰ．１２６記載によれば立位時の床面からウエスト基点までの鉛直距離であるウエスト基点高の平均値は、男性２０−２９歳で１０３９．０ｍｍである。また、同書籍のＰ．１４６記載によれば立位時の床面から臀溝点までの鉛直距離である臀溝高の平均値は、男性２０−２９歳で７５１．５ｍｍである。
【００２５】
浴槽本体１１に着座した時の底部１１ｂから乳頭点までの鉛直距離である着座乳頭高の平均値は、上述の乳頭高から臀溝高を減算した値であるとして試算すると、４８０．４ｍｍとなる。また、浴槽に着座した時の底部１１ｂからウエスト基点までの鉛直距離である着座ウエスト基点高の平均値は、上述のウエスト基点高から臀溝高を減算した値であるとして試算すると、２８７．５ｍｍとなる。
【００２６】
同様にして、男性５０−５９歳、女性２０−２９歳、および女性５０−５９歳を対象として試算する。図６は着座乳頭高および着座ウエスト基点高の試算値を示す図表である。男性の２０−２９歳および５０−５９歳について見ると、着座乳頭高および着座ウエスト基点高は同等である。また、女性の２０−２９歳および５０−５９歳について見ると、５０−５９歳で着座乳頭高がやや低いものの、着座ウエスト基点高は同等である。また、男性と女性で比較すると、着座乳頭高が女性で低く、着座ウエスト基点高が女性でやや低い。したがって、有意な差は、男性と女性に見られる着座乳頭高の違いであるため、以下の検討では、男性と女性の２ケースに分けることとする。
【００２７】
次に半身浴をするための浴槽における湯を溜める深さについて検討する。図７は半身浴における湯の深さに関する評価内容を示す図表である。評価に当たり、湯の深さをパラメータとし、２００ｍｍから５００ｍｍまでを５０ｍｍ刻みで区分し、評価項目として半身浴適合性、湯量適正を挙げ、それぞれ男性と女性について評価した。
【００２８】
まず図７に基づき、男性における湯の深さの評価内容を説明する。半身浴適合性は、心臓への負担が少ないことを目的とした入浴スタイルとして適切かどうかを尺度としている。一般に、胸のみぞおち付近より下に湯を溜めることで半身浴が行われることが多い。半身浴として「不可」である場合に評価点を１点、「可」である場合に２点、「適切」である場合に３点を付けている。図７に示すように、湯の深さが４００ｍｍ以下では、男性の平均的な着座乳頭高４８０．４ｍｍ（２０−２９歳）および４７２．３ｍｍ（５０−５９歳）よりも湯面が約７０ないし８０ｍｍ程度低く、みぞおち付近またはそれより下に湯が溜められ「適切（３点）」である。湯の深さが４００―４５０ｍｍでは、４５０ｍｍ付近まで湯を溜めると、男性の平均的な着座乳頭高に湯面近づき、「可（２点）」程度であると評価される。４５０ｍｍ以上となると、湯面が着座乳頭高付近から上となり「不可（１点）」と評価される。
【００２９】
湯量適正は、湯の量が少なすぎると十分な半身浴が出来なくなることから、湯の深さが足りているか否かを尺度とし、「不足」である場合に評価点を１点、「やや不足」である場合に評価点を２点、「十分」である場合に３点を付けている。図７に示すように、湯の深さが２５０ｍｍ以下では、男性の平均的な着座ウエスト基点高２８７．５ｍｍ（２０−２９歳）および２８７．３ｍｍ（５０−５９歳）に満たず、湯量として「不足（１点）」であると評価される。湯の深さが２５０−３００ｍｍでは、男性の平均的な着座ウエスト基点高付近に湯を溜めることができるが「やや不足（２点）」であると評価される。湯の深さが３００ｍｍ以上では、男性の平均的な着座ウエスト基点高よりも上まで湯が溜められるので、「十分（３点）」と評価される。
【００３０】
次に女性における湯の深さの評価内容を説明する。半身浴適合性について、湯の深さが３５０−４００ｍｍの場合、４００ｍｍ付近まで湯を溜めると、女性の平均的な着座乳頭高４４６．０ｍｍ（２０−２９歳）および４２５．３ｍｍ（５０−５９歳）に近づき、「可（２点）」程度であると評価される。湯の深さが４００―４５０ｍｍでは、女性の平均的な着座乳頭高を超える湯面となる可能性があるため、「不可（１点）」程度であると評価される。
【００３１】
女性に関する湯量適正は、着座ウエスト基点高の男性との差が最も大きいところでも１２．４ｍｍ程度（２０−２９歳で比較）と僅かであるから、男性に関する湯量適正の評価と同じになる。
【００３２】
湯の深さの区分毎に評価点を合計して総合点を付けると、湯の深さが３００−３５０ｍｍが最も高い１２点（評価「特によい」）となり、次いで３５０−４００ｍｍが１１点（「良い」）との結果が得られた。湯の深さが２５０ｍｍ以下、４５０ｍｍ以上では、評価点は低く、湯の深さとして「悪い」との評価となった。湯の深さが２５０−３００ｍｍでは湯の深さが「やや不足」しており、４００−４５０ｍｍでは着座乳頭高を超える可能性もあるため、評価点が９点または１０点とやや低く、評価は「良悪なし」となった。
【００３３】
したがって、浴槽本体１１の着座位置において溜めることができる湯の最大深さを下限３００ｍｍとし、上限４００ｍｍとすることで、半身浴が男性にとって「適切」に行うことができ、女性にとって「可」となる浴槽本体１１が得られる。また、浴槽本体１１の着座位置において溜めることができる湯の最大深さを下限３００ｍｍとし、上限３５０ｍｍとすることで、半身浴が男性にとっても女性にとっても「適切」に行える浴槽本体１１が得られる。
【００３４】
例えば、浴槽本体１１の着座位置において溜めることができる湯の最大深さを３５０ｍｍとした場合、オーバーフロー栓１３をフランジ部１１ａより８０ｍｍ下に設けるものとすると、浴槽本体１１の底部１１ｂからフランジ部１１ａまでの高さは４３０ｍｍとなる。さらに浴槽本体１１の底部１１ｂが浴槽前床５０の床面よりも４０ｍｍ程度低い位置にあるとすると、浴槽前床５０から浴槽本体１１内へのまたぎ高さが３９０ｍｍとなる。尚、浴槽本体１１の着座位置において溜めることができる湯の最大深さを３５０ｍｍとした場合に、実際に浴槽本体１１に溜める湯の高さは、ユーザの好みにより、０−３５０ｍｍの範囲内で設定することができる。
【００３５】
また、オーバーフロー栓１３を設けず、フランジ部１１ａを超えて湯が溢れ出ることを許容する浴槽においては、浴槽本体１１に溜めることができる湯の最大深さ３５０ｍｍが、浴槽本体１１の底部１１ｂからフランジ部１１ａまでの高さとなる。さらに浴槽本体１１の底部１１ｂが浴槽前床５０の床面よりも４０ｍｍ程度低い位置にあるとすると、浴槽前床５０から浴槽本体１１内へのまたぎ高さが３１０ｍｍとなる。
【００３６】
次にバックレスト２０について説明する。図８は図２のＢ−Ｂ線によるバックレスト２０の部分を拡大した断面図である。バックレスト２０は、浴槽本体１１の内側面１１ｃにおける上下方向の中途部から上部に亘って設けられている。バックレスト２０の上部は、浴槽本体１１の上端縁よりさらに上方まで延びる。浴槽本体１１における内側面１１ｃの裏側には壁パネル６０ａとの間に、図示しない追い炊き用機器や、噴流装置などが収納されている。
【００３７】
バックレスト２０は、浴槽本体１１の底部１１ｂに着座した入浴者の背中が壁面パネルから離間するように厚みを有する。バックレスト２０の厚み寸法が大きいと、ユーザは浴槽本体１１が狭いと感じ、厚み寸法が小さいと、壁パネル６０ａに近く、吐水横バー３１の吐水部３１ａに頭部が接触してしまう。
【００３８】
バックレスト２０は、浴槽本体１１の上端縁側から中央側に向けて下方に傾斜する表面２１を有し、表面２１にはユーザの背中が接触する。バックレスト２０において、ユーザの背中が接触する表面２１は、バックレスト２０の頂点位置Ｐからやや下がった位置Ｑ１と、バックレスト２０の下端位置Ｒからやや上がった位置Ｑ２との間にある。浴槽本体１１の底部１１ｂに着座したユーザの背中は、頂点位置Ｐおよびその付近には相応に無理な姿勢を取らなければ接触することができない。下端位置Ｒおよびその付近についても同様である。位置Ｑ１は、浴槽本体１１の底部１１ｂに着座したユーザが背筋を伸ばした状態で、背中とバックレスト２０との接触面の上方側の限界位置である。位置Ｑ２は、バックレスト２０が内側面１１ｃにおける上下方向の中途部から上部に亘って設けられている場合には、下端位置Ｒ付近のやや上側の位置である。また、位置Ｑ２は、バックレスト２０が浴槽本体１１の底部１１ｂから上部に亘って設けられている場合、浴槽本体１１の上下方向の中途部において、バックレスト２０の上下方向における表面形状の曲率半径が変化する位置付近であり、曲率半径の変化がない場合には、浴槽本体１１の上下方向の中途部のどの位置でもよい。
【００３９】
位置Ｑ１はバックレストの上部にある。位置Ｑ２は浴槽本体１１の上下方向の中途部にある。位置Ｑ１における表面２１の接線Ｌ１、および位置Ｑ２における表面２１の接線Ｌ２の間に吐水横バー３１の吐水部３１ａが設けられている。ここで、接線Ｌ１は、位置Ｑ１における表面２１の接平面内に含まれる水平接線に直交する接線である。また、接線Ｌ２は、位置Ｑ２における表面２１の接平面内に含まれる水平接線に直交する接線である。吐水部３１ａは、接線Ｌ１および接線Ｌ２の間にあることにより、浴槽本体１１の底部１１ｂに着座してバックレスト２０に背をもたせ掛けているユーザの頭部が吐水部３１ａに接触し難くなる。
【００４０】
次に浴槽装置１および浴室ユニット１００の作用について説明する。ユーザは浴室ユニット１００の引き戸６３を開けて入り口６２から浴槽前床５０へ移動し、浴槽前床５０において脱衣および着衣を行うことができる。ユーザは、浴槽装置１と浴槽前床５０を仕切る引き戸４０を開けて浴槽装置１の浴槽本体１１へ移動し、引き戸４０を閉めて入浴する。引き戸４０を閉めることにより、浴槽装置１内で水を使っても、引き戸４０で遮断され、浴槽前床５０側への水の飛散を防止することができる。
【００４１】
ユーザは、浴槽本体１１に立ってシャワーヘッド３３を用いた身体の洗いを行うことができる。このとき、シャワーヘッド３３の高さ位置は、スライド部材３２ａを縦ガイドバー３２上でスライドさせて調節することができる。上述のように、浴槽本体１１のフランジ部１１ａの幅を狭くし、底部１１ｂが壁パネル６０ａに近い位置まで設けられていることによって、ユーザは、浴槽本体１１内に立った姿勢で、壁パネル６０ａに設けた吐水装置３のシャワーヘッド３３に接近し易くなる。シャワーヘッド３３に近づくことができるので、ユーザはシャワーヘッド３３を利用し易くなり、利便性が良い。また、バックレスト２０の下側は、浴槽本体１１の底部１１ｂから離間しており、より壁パネル６０ａに接近し易くなっているとともに、浴槽本体１１の容積を大きく確保することができる。
【００４２】
図９は半身浴による浴槽装置１の使用状態を説明するための模式図である。浴槽本体１１にはユーザのみぞおち付近まで湯が溜められており、ユーザは底部１１ｂに着座して湯に浸かる。浴槽本体１１の着座位置において溜めることができる湯の最大深さを３００ｍｍ以上、４００ｍｍ以下とすることで、上述の評価のとおり、半身浴が男性にとって「適切」に行うことができ、女性にとって「可」となる浴槽本体１１が得られる。また、浴槽本体１１の着座位置において溜めることができる湯の最大深さを３００ｍｍ以上、３５０ｍｍ以下とすることで、半身浴が男性にとっても女性にとっても「適切」に行える浴槽本体１１が得られる。
【００４３】
このように、浴槽本体１１に湯の最大深さまで湯を溜めれば半身浴が行えるので、湯の量を調節する必要がなく、利便性が向上する。また、浴槽本体１１は、底部１１ｂからフランジ部１１ａまでの高さ寸法が小さくなるので、浴槽前床５０から浴槽本体１１への移動時におけるまたぎ高さの寸法が小さくなる。ユーザは、またぎ高さの寸法が小さいので、浴槽前床５０から浴槽本体１１への移動し易くなる。
【００４４】
さらに吐水装置３の吐水横バー３１に設けた吐水部３１ａから湯を吐出させることにより、ユーザは、浴槽本体１１で半身浴をしながら、肩辺りに湯を浴びることができる。ユーザは、吐水部３１ａからの湯を肩辺りに浴びることで、より身体を温めることができ、血流量の増加、筋肉の緊張緩和、肩こりにも効果がある。また、吐出される湯が肩辺りに当たって刺激となり、肩こりなどの症状を和らげる効果も期待できる。
【００４５】
吐水横バー３１の吐水部３１ａは、図８に示す接線Ｌ１および接線Ｌ２の間に設けられている。これにより、ユーザは、浴槽本体１１の底部１１ｂに着座してバックレスト２０に背をもたせ掛けたときに、頭部が吐水部３１ａに接触し難くなり、利便性が良い。また、バックレスト２０の上部が浴槽本体１１の上端縁よりさらに上方まで延びることにより、ユーザは、背中の上部までバックレスト２０にもたせ掛けることができる。
【００４６】
吐水部３１ａはバックレスト２０に背をもたせ掛けているユーザの頭部から離間した位置にあるが、ユーザが頭部を吐水部３１ａにもたせ掛けるべく意図的に後方に反らす姿勢をとることで、後頭部を吐水部３１ａに接触させることができる。ユーザは、頭部を吐水部３１ａに接触させてもたせ掛けることによって、首すじの緊張を緩和した姿勢で入浴することができ、利便性がさらに向上する。
【００４７】
次に、実施形態の浴槽装置１の特徴を説明する。
本発明の実施形態の浴槽装置１は、湯を溜める浴槽本体１１と、浴槽本体１１の上端縁の上方に設けられた吐水部３１ａとを備える。浴槽本体１１に着座して湯に浸かるユーザ（入浴者）が背をもたせ掛けるバックレスト２０が浴槽本体１１の内側面１１ｃに設けられている。バックレスト２０は、浴槽本体１１の上端縁側から中央側に向けて下方に傾斜する表面２１を有する。バックレスト２０の上部における表面２１の接線Ｌ１、および浴槽本体１１の上下方向の中途部における表面２１の接線Ｌ２の間に吐水部３１ａが設けられているので、吐水部３１ａがユーザの頭部に接触し難くなり、利便性が良い。
【００４８】
また浴槽装置１は、バックレスト２０の表面２１が浴槽本体１１の上端縁より上方に延びているので、背中の上部までバックレスト２０にもたせ掛けることができる。
【００４９】
（変形例）
次に変形例に係る浴槽装置１について説明する。図１０は変形例に係る浴槽装置１における図２のＢ−Ｂ線による断面に相当する部分の断面図である。変形例に係る浴槽装置１ではバックレスト２０を設けておらず、ユーザは浴槽本体１１の内側面１１ｃに背中を接触させて、浴槽本体１１の底部１１ｂに着座する。内側面１１ｃは、浴槽本体１１の上端縁側から中央側に向けて下方に傾斜している。
【００５０】
内側面１１ｃは、バックレスト２０を設けていないため、上述の実施形態よりも浴槽本体１１の中央側に位置する。ユーザの背中は、浴槽本体１１の上端縁からやや下側の位置Ｑ３から浴槽本体１１の上下方向の中途部の位置Ｑ４の間に接触する。位置Ｑ３は、前記浴槽本体の上下方向の上部の位置であり、例えば、浴槽本体１１の上端縁において、面取りした部分１１ｄの下側である。位置Ｑ３は、浴槽本体１１の底部１１ｂに着座したユーザが背筋を伸ばした状態で、背中と内側面１１ｃとの接触面の上限である。位置Ｑ４は、浴槽本体１１の上下方向の中途部において、内側面１１ｃの上下方向における表面形状の曲率半径が変化する位置付近であり、曲率半径の変化がない場合には、浴槽本体１１の上下方向の中途部のどの位置でもよい。
【００５１】
位置Ｑ３における内側面１１ｃの接線Ｌ３、および位置Ｑ４における内側面１１ｃの接線Ｌ４の間に吐水横バー３１の吐水部３１ａが設けられている。ここで、接線Ｌ３は、位置Ｑ３における内側面１１ｃの接平面内に含まれる水平接線に直交する接線である。また、接線Ｌ４は、位置Ｑ４における内側面１１ｃの接平面内に含まれる水平接線に直交する接線である。吐水部３１ａは、接線Ｌ３および接線Ｌ４の間にあることにより、浴槽本体１１の底部１１ｂに着座して内側面１１ｃに背をもたせ掛けているユーザの頭部が吐水部３１ａに接触し難くなる。
【００５２】
吐水横バー３１の吐水部３１ａが接線Ｌ３および接線Ｌ４の間に設けられているので、浴槽本体１１の底部１１ｂに着座して内側面１１ｃに背をもたせ掛けているユーザの頭部に吐水部３１ａが接触し難くなり、利便性が良くなる。
【００５３】
吐水部３１ａはユーザの頭部から離間した位置にあるが、ユーザが頭部を吐水部３１ａにもたせ掛けるべく意図的に後方に反らす姿勢をとることで、後頭部を吐水部３１ａに接触させることができる。ユーザは、頭部を吐水部３１ａに接触させてもたせ掛けることによって、首すじの緊張を緩和した姿勢で入浴することができ、利便性が向上する。尚、変形例に係る浴槽本体１１は、実施形態に示した半身浴に適する浅型のものであってよいし、一般的な深さを有するものであってもよい。
【００５４】
次に、変形例の浴槽装置１の特徴を説明する。
変形例の浴槽装置１は、湯を溜める浴槽本体１１と、浴槽本体１１の上端縁の上方に設けられた吐水部３１ａとを備える。浴槽本体１１は、上端縁側から中央側に向けて下方に傾斜する内側面１１ｃを有する。浴槽本体１１の上下方向の上部における内側面１１ｃの接線Ｌ３、および中途部における内側面１１ｃの接線Ｌ４の間に吐水部３１ａが設けられているので、吐水部３１ａがユーザの頭部に接触し難くなり、利便性が良い。
【００５５】
上述の実施形態および変形例において、浴槽前床５０は排水機能を有していなくてもよいが、浴槽前床５０に排水機能をもたせて、水を排出するようにしてもよい。この場合、浴槽前床５０は、ユーザが身体を洗い流すための洗い場として利用することができる。
【００５６】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５７】
１  浴槽装置、  １１  浴槽本体、  １１ｃ  内側面、  ２０  バックレスト、
２１  表面、  ３１ａ  吐水部。
【図１】
0006723840.tif 000002
【図２】
0006723840.tif 000003
【図３】
0006723840.tif 000004
【図４】
0006723840.tif 000005
【図５】
0006723840.tif 000006
【図６】
0006723840.tif 000007
【図７】
0006723840.tif 000008
【図８】
0006723840.tif 000009
【図９】
0006723840.tif 000010
【図１０】
0006723840.tif 000011